(57)【要約】【課題】上段をベッド部とするとともに、下段を作業空間部とし、該作業空間部に机と書棚を配してなるベッドと机の組合せ家具において、子供の成長に応じて配置を変更でき、特に頭部に対する圧迫感、窮屈感を軽減することが可能なベッドと机の組合せ家具を提供する。【解決手段】両側に配した下部脚４の後部間に、単又は複数の書棚５を互に連結して形成した横方向に延びた収納体３を配置するとともに、収納体と下部脚を連結し、両下部脚の上部にベッド部１を載置するとともに、両下部脚間で収納体の前面側に着座位置を手前に向けて机２を設置した。また、下部脚４に対する収納体３の連結位置を前後に変更可能であり且つ両下部脚が収納体のみで連結されている。【選択図】        図１
2008011945.tif 000002
【特許請求の範囲】
【請求項１】
上段をベッド部とするとともに、下段を作業空間部とし、該作業空間部に机と書棚を配してなるベッドと机の組合せ家具であって、両側に配した下部脚の後部間に、単又は複数の書棚を互に連結して形成した横方向に延びた収納体を配置するとともに、該収納体と下部脚を連結し、前記両下部脚の上部に前記ベッド部を載置するとともに、前記両下部脚間で前記収納体の前面側に着座位置を手前に向けて机を設置したことを特徴とするベッドと机の組合せ家具。
【請求項２】
前記下部脚に対する前記収納体の連結位置を前後に変更可能であり且つ前記両下部脚が収納体のみで連結されている請求項１記載のベッドと机の組合せ家具。
【請求項３】
前記収納体を両下部脚の最後端間に連結した場合、前記机を該収納体の前面側に当接した状態で、該机の前端が前記下部脚の前端よりも後方に位置してなり、また前記収納体を両下部脚の前後中間位置間に連結した場合、前記机を該収納体の前面側に当接した状態で、該机の前端が前記下部脚の前端と面一か若しくは前方に位置してなる請求項１又は２記載のベッドと机の組合せ家具。
【請求項４】
前記机は、左右両側の脚板間に高さ変更可能に天板を連結したものであり、前記脚板は側面部の後縁に後面板を内側へ向けて直角に連結した平面視略Ｌ字形の形状であり、両脚板の後面板間を開放してなる請求項１〜３何れかに記載のベッドと机の組合せ家具。
【発明の詳細な説明】
【技術分野】
【０００１】
本発明は、ベッドと机の組合せ家具に係わり、更に詳しくは子供の成長に合わせて使用形態を変更可能なベッドと机の組合せ家具に関するものである。
【背景技術】
【０００２】
特許文献１には、上段をベッド部とするとともに、下段を作業空間部とし、該作業空間部に机を配してなるベッドと机の組合せ家具であって、前記ベッド部の四隅を支持する４本の支柱のうち、正面側の一対の支柱間を開放部とし、他の支柱間を上下に間隔を置いて複数の横桟で連結するとともに、該横桟を利用して棚板等のオプションを係止可能としてなることを特徴とするベッドと机の組合せ家具が開示されている。ここで、前記下段の作業空間部には机とともに書棚を配置している。
【０００３】
特許文献２には、上段に位置した平面視四角形のベッド部と、ベッド部の下方に配置した机天板と、机天板及びベッド部を支持するため左右の支持枠とを備えており、前記机天板の左右側端部を、左右の支持枠に形成した前後長手のサイド横桟に載置し、机天板とサイド横桟とをねじ等のファスナーで固定しているベッドと机との組合せ家具が開示されている。更に、前記机天板の左右側端部の下面に、支持枠におけるサイド横桟の内側面に密着する補助部材を固定し、補助部材とサイド横桟をねじで締結している一方、前記左右支持枠の後部間に、机天板の背面が重なるバック横桟を連結しており、バック横桟と机天板とをねじで締結している点が開示されている。
【０００４】
何れの特許文献のものもベッド部の強度を確保するために、両側後部の支柱間、あるいは左右の支持枠の後部間を横桟で連結している。また、特許文献１記載のものは、上段ベッド部の下方の作業空間部に、机と書棚を配置しているが、作業空間部の開放部の一部又は全部を、開閉可能な遮蔽板体で覆い隠すことを特徴としているため、前記机と書棚はベッド部の両短辺側に相当する位置に対向させて設置し、着座位置も机と書棚の間に設定し、完全にベッド部の下方空間で完結するようになっている。一方、特許文献２記載のものは、机天板の長手方向をベッド部の長手方向に向けて配置しているので、着座位置がベッド部の下方空間から一部突出することを想定しているが、机天板は固定的で、少し奥まった位置にある。従って、両特許文献記載のものとも、子供が成長した場合には、頭部が上段ベッド部に接近するので、圧迫感、窮屈感は否めない。
【特許文献１】特開平２００４−０２４４２５号公報
【特許文献２】特開平２００６−０５５５３９号公報
【発明の開示】
【発明が解決しようとする課題】
【０００５】
そこで、本発明が前述の状況に鑑み、解決しようとするところは、上段をベッド部とするとともに、下段を作業空間部とし、該作業空間部に机と書棚を配してなるベッドと机の組合せ家具において、子供の成長に応じて配置を変更でき、特に頭部に対する圧迫感、窮屈感を軽減することが可能なベッドと机の組合せ家具を提供する点にある。
【課題を解決するための手段】
【０００６】
本発明は、前述の課題解決のために、上段をベッド部とするとともに、下段を作業空間部とし、該作業空間部に机と書棚を配してなるベッドと机の組合せ家具であって、両側に配した下部脚の後部間に、単又は複数の書棚を互に連結して形成した横方向に延びた収納体を配置するとともに、該収納体と下部脚を連結し、前記両下部脚の上部に前記ベッド部を載置するとともに、前記両下部脚間で前記収納体の前面側に着座位置を手前に向けて机を設置したことを特徴とするベッドと机の組合せ家具を構成した（請求項１）。
【０００７】
ここで、前記下部脚に対する前記収納体の連結位置を前後に変更可能であり且つ前記両下部脚が収納体のみで連結されていることが好ましい（請求項２）。
【０００８】
そして、前記収納体を両下部脚の最後端間に連結した場合、前記机を該収納体の前面側に当接した状態で、該机の前端が前記下部脚の前端よりも後方に位置してなり、また前記収納体を両下部脚の前後中間位置間に連結した場合、前記机を該収納体の前面側に当接した状態で、該机の前端が前記下部脚の前端と面一か若しくは前方に位置してなることがより好ましい（請求項３）。
【０００９】
また、前記机は、左右両側の脚板間に高さ変更可能に天板を連結したものであり、前記脚板は側面部の後縁に後面板を内側へ向けて直角に連結した平面視略Ｌ字形の形状であり、両脚板の後面板間を開放してなることも好ましい（請求項４）。
【発明の効果】
【００１０】
以上にしてなる請求項１に係る発明のベッドと机の組合せ家具は、両側に配した下部脚の後部間に、単又は複数の書棚を互に連結して形成した横方向に延びた収納体を配置したことにより、作業空間部の後部全面が収納スペースとなるので書籍等の収納量が多く、また収納体と下部脚を連結したので、両下部脚間の連結強度が非常に高くなり、両下部脚の上部に前記ベッド部を載置しても十分な支持強度を有し、そして両下部脚間で前記収納体の前面側に着座位置を手前に向けて机を設置したので、使用勝手に優れ、また子供の成長に応じて机を手間側に移動して設置すれば、頭部に対する圧迫感、窮屈感が軽減されるのである。
【００１１】
請求項２によれば、下部脚に対する収納体の連結位置を前後に変更可能であるので、両下部脚に対する収納体の連結位置を前後に変更することにより、該収納体の前面側に当接して設置する机の設置位置を前後に調節することができるばかりでなく、後端よりも前方側で両下部脚の前後中間位置間に収納体を連結すれば、両下部脚の連結強度が更に高くなるのである。また、両下部脚が収納体のみで連結されていると、部品点数が少なく、また組立も容易であるので、大幅なコスト低減化が図れるのである。
【００１２】
請求項３によれば、収納体を両下部脚の最後端間に連結した場合、机を該収納体の前面側に当接した状態で、該机の前端が前記下部脚の前端よりも後方に位置するように設定すれば、机の前に着座しても手前側に大きく突出しないので、室内空間の効率使用ができ、この設置態様は体格の小さい子供が使用するのに適している。一方、収納体を両下部脚の前後中間位置間に連結した場合、机を該収納体の前面側に当接した状態で、該机の前端が前記下部脚の前端と面一か若しくは前方に位置するように設定すれば、机に着座しても頭部が手前側に位置するので上段のベッド部が殆ど邪魔にならず、頭部に対する圧迫感、窮屈感が軽減され、この設置態様は体格の大きな子供が使用するのに適している。
【００１３】
請求項４によれば、机は、左右両側の脚板間に高さ変更可能に天板を連結したものであるので、子供の体格に応じて、天板の高さを最適な位置に調節することができ、また脚板は側面部の後縁に後面板を内側へ向けて直角に連結した平面視略Ｌ字形の形状であり、両脚板の後面板間を開放しているので、両後面板間を通して前記収納体に書籍等を出し入れすることができ、また天板の高さを下げた場合でも両後面板間が開放しているので開放感を有している。また、平面視略Ｌ字形の形状であるので、脚板自体の強度も高く、しかも天板に脚板の側面部と後面板を連結することで机の強度も非常に高くなるのである。
【発明を実施するための最良の形態】
【００１４】
次に、添付図面に示した実施形態に基づき、本発明を更に詳細に説明する。図1及び図２は体格が小さい子供が使用するのに適した設置態様、図３及び図４は体格が大きい子供が使用するのに適した設置態様を示し、図中符号１はベッド部、２は机、３は収納体、４は下部脚をそれぞれ示している。
【００１５】
本発明に係るベッドと机の組合せ家具は、上段をベッド部１とするとともに、下段を作業空間部Ｓとし、該作業空間部Ｓに机２と書棚５を配してなるベッドと机の組合せ家具であって、両側に配した下部脚４，４の後部間に、単又は複数の書棚５を互に連結して形成した横方向に延びた収納体３を配置するとともに、該収納体３と下部脚４を連結し、前記両下部脚４，４の上部に前記ベッド部１を載置するとともに、前記両下部脚４，４間で前記収納体３の前面側に着座位置を手前に向けて机２を設置したことを特徴としている。
【００１６】
本発明に係るベッドと机の組合せ家具は、二段ベッドの下部を開放して作業空間部Ｓとし、該作業空間部Ｓに机２と単又は複数の書棚５，…を連結して構成した収納体３を配置した概略構成となっている。
【００１７】
更に詳しくは、前記ベッド部１は、図１〜図７に示すように、短辺側に配置する上部脚６，６の前後に、側柵体７，７を連結し、前記両上部脚６，６、両側柵体７，７で囲まれた空間にスノコ８，８を支持した構造である。
【００１８】
前記収納体３は、図８及び図９に示すように、横幅の異なる２種類の書棚５，５を互に連結して形成している。図８は、横幅の広い書棚５を示し。両側板９，９の下端部間と上端部間にそれぞれ底板１０と上面板１１とを連結するとともに、左右中間に仕切板１２を底板１０と上面板１１とに連結して垂設し、背面に背板１３を設け、そして側板９と仕切板１２の間に適宜段数で棚板１４，…を設けたものである。ここで、前記棚板１４は高さ調節可能となしている。また、図９は、横幅の狭い書棚５を示し、前述のものと仕切板１２が存在しない以外は構造的に同一であるので、同一構成には同一符号を付して、その説明は省略する。
【００１９】
そして、前記書棚５の両側板９，９には、上部と下部に二つずつ貫通孔１５，…を形成し、両書棚５，５を左右に並べ、重ね合わした側板９，９同士を、前記貫通孔１５，…を利用して、雌ネジと雄ネジとの組合せからなる締結具（図示せず）で連結して、前記収納体３を形成する。この収納体３は、前記ベッド部１の長辺側の寸法に略等しくなっている。勿論、前記書棚５の横幅が一つで前記ベッド部１の長辺側の寸法に略等しくなれば、単独で前記収納体３を構成する。
【００２０】
前記下部脚４は、左右一対有し、左右で対称な形状となっている。前記下部脚４は、図１〜図４、図１０に示すように、偏平な板状の支柱１６，１６を前後に有し、両支柱１６，１６の上端部間を上下幅の狭い上連結板１７で連結するとともに、上下中間部間を上下幅の広い下部連結板１８で連結して一体化したものであり、全体として板状の独立部材である。そして、前記上連結板１７と下部連結板１８の後部寄り位置に、前記書棚５の前記貫通孔１５，…と高さとピッチを対応させてそれぞれ３つ以上の貫通孔１９，…を形成している。前記貫通孔１９，…を前後に３つずつ設ければ、前記収納体３を前後二段階で位置調節して連結することが可能である。
【００２１】
また、図１０に示すように、前記下部脚４にハンギング部材２０を取付けることも好ましい。前記ハンギング部材２０は、前側の前記支柱１６と上部連結板１７の側面にブラケット板２１，２１をボルト止めし、両ブラケット板２１，２１の先端部間に係止棒２２を渡設して構成している。
【００２２】
そして、図１及び図２に示すように、前記両下部脚４，４の最後端間に前記収納体３を連結し、該収納体３の前面側に前記机２を当接した状態で設置する。それには、前記下部脚４の後側の前後二つの貫通孔１９，１９の位置に、前記収納体３の側板９に形成した前後二つの貫通孔１５，１５の位置を対応させ、両貫通孔１５，１９を使用して締結具（図示せず）で連結する。そして、前記両下部脚４，４の上端にそれぞれ前記ベッド部１の上部脚６を載置して連結する。
【００２３】
ここで、前記上部脚６も前記下部脚４と同様な構造を有し、つまり前記上部脚６は、前後の支柱２３，２３の上端部間に上下幅の狭い横柵板２４を連結するとともに、下部間に上下幅の広い支持板２５を連結した構造であり、更に該支持板２５の内面側に突設した突条２６に前記スノコ８を載置するようになっている。尚、前記側柵体７の内面側にも突条２７を設け、前記スノコ８を載置するようになっている。そして、前記下部脚４の両支柱１６，１６の上端に、前記ベッド部１の上部脚６の両支柱２３，２３を、連結ピン（図示せず）を介して載置連結する。
【００２４】
図１及び図２の設置態様では、前記机２の前端が前記下部脚４の前端よりも後方に位置している。体格が小さい子供、例えば低学年の小学生であれば、この机２の手前側に着座しても、上部のベッド部１との間に十分な高さが確保できるので、なんら支障がなく机２を使用することができる。また、前記収納体３の後部には若干の隙間が生じるが、この背面には室内の壁面が接近することが多く、その場合には常時は使用しない偏平な板状の物品を隙間に格納することができる。
【００２５】
また、図３及び図４に示すように、前記両下部脚４，４の前後中間位置間に前記収納体３を連結し、該収納体３の前面側に前記机２を当接した状態で設置する。それには、前記下部脚４の前側の前後二つの貫通孔１９，１９の位置に、前記収納体３の側板９に形成した前後二つの貫通孔１５，１５の位置を対応させ、両貫通孔１５，１９を使用して締結具（図示せず）で連結する。そして、前記同様に、前記両下部脚４，４の上端にそれぞれ前記ベッド部１の上部脚６を載置して連結する。
【００２６】
図３及び図４の設置態様では、前記机２の前端が前記下部脚４の前端と面一となる。尚、この設置態様で、前記机２の前端が前記下部脚４の前端より前方に位置しても構わない。特に、前記下部脚４に対して収納体３を前後に二段階以上に取付位置を変更できるようにした場合には、机２が下部脚４よりも大きく前方へ突出しても良い。また、前記下部脚４に対して収納体３を前後に二段階のみ取付位置を変更できる場合でも、前記机２を収納体３から前方に離して設置することも可能であり、そのような場合にも机２が下部脚４から前方へ突出することは十分にあり得る。ここで、前記収納体３の後方には比較的広い空間が形成されるので、この空間を利用して大型の物品を格納することが可能である。
【００２７】
次に、図１１〜図１３に基づいて前記机２を説明する。前記机２は、左右両側の脚板２８，２８間に高さ変更可能に天板２９を連結したものである。前記脚板２８は、側面部３０の後縁に後面板３１を内側へ向けて直角に連結した平面視略Ｌ字形の形状であり、両脚板２８，２８に天板２９を取付けた状態で、両脚板２８，２８の後面板３１，３１間が開放するように、該後面板３１の横幅は狭く設定されている。前記側面部３０は、前後の支脚３２，３２の上部間に連結板３３を連結した構造であり、該連結板３３と前記後面板３１とに、上下方向に多段に取付孔３４，…と取付孔３５，…をそれぞれ形成している。一方、前記天板２９の下面には、少なくとも両側縁と後縁両側部に垂下板３６を設けてあり、該垂下板３６に形成した通孔３７と前記取付孔３４及び取付孔３５に挿通した締結具３８，…で所定高さ位置に当該天板２９を取付ける。
【００２８】
前記天板２９の高さを両脚板２８，２８の上下中間位置に設定した場合、該天板２９より上方へ脚板２８，２８の上部が位置しているが、前記両脚板２８，２８の後面板３１，３１間は開放しているので、天板２９の上面での開放感は保たれる。また、前記天板２９の下面に設けた前記垂下板３６，…を利用して複数の引出し３９，…を左右に並設している。
【００２９】
前記机２を前記収納体３の前面側に設置した場合でも、両後面板３１，３１の間が開放されているので、この開放部を利用して書籍等の物品を収納体３に出し入れすることができる。また、前記収納体３を構成する書棚５の棚板１４は高さ変更可能であるから、前記机２の天板２９の高さに一致させれば、天板２９を拡張して使用することも可能である。
【００３０】
図１４は、天板２９を低い位置に取付けた机２を前記ベッド部１の下方に設置した状態を示し、また前記ベッド部１の側柵体７，７を上部脚６，６に対して低い位置に取付けた状態を示している。この場合、特に体格が小さい子供に適しており、上段のベッド部１が低くなっているので、梯子（図示せず）を用いて上がるのが容易になる。尚、前記側柵体７が下がって、上部の作業空間部の高さが低くなるが、非常に小さな子供、幼稚園児を対象としているので、何ら問題はない。
【図面の簡単な説明】
【００３１】
【図１】本発明に係るベッドと机の組合せ家具を示し、収納体と机を奥側に設定した態様の斜視図である。
【図２】同じく縦断面図である。
【図３】本発明に係るベッドと机の組合せ家具を示し、収納体と机を手前側に設定した態様の斜視図である。
【図４】同じく縦断面図である。
【図５】ベッド部の正面図である。
【図６】同じくベッド部の側面図である。
【図７】同じくベッド部の平面図である。
【図８】横幅の広い書棚を示し、（ａ）は正面図、（ｂ）は側面図である。
【図９】横幅の狭い書棚を示し、（ａ）は正面図、（ｂ）は側面図である。
【図１０】下部脚を示し、（ａ）は正面図、（ｂ）は側面図である。
【図１１】机の平面図である。
【図１２】同じく一部破断して示した机の正面図である。
【図１３】同じく机の縦断面図である。
【図１４】机の天板とベッド部の側柵体とスノコを低く設定した使用態様を示す斜視図である。
【符号の説明】
【００３２】
１  ベッド部、        ２  机
３  収納体、          ４  下部脚
５  書棚、            ６  上部脚
７  側柵体、          ８  スノコ
９  側板、            １０  底板
１１  上面板、        １２  仕切板
１３  背板、          １４  棚板
１５  貫通孔、        １６  支柱
１７  上連結板、      １８  下部連結板
１９  貫通孔、        ２０  ハンギング部材
２１  ブラケット板、  ２２  係止棒
２３  支柱、          ２４  横柵板
２５  支持板、        ２６  突条
２７  突条、          ２８  脚板
２９  天板、          ３０  側面部
３１  後面板、        ３２  支脚
３３  連結板、        ３４  取付孔
３５  取付孔、        ３６  垂下板
３７  通孔、          ３８  締結具
Ｓ  作業空間部
【図１】
2008011945.tif 000003
【図２】
2008011945.tif 000004
【図３】
2008011945.tif 000005
【図４】
2008011945.tif 000006
【図５】
2008011945.tif 000007
【図６】
2008011945.tif 000008
【図７】
2008011945.tif 000009
【図８】
2008011945.tif 000010
【図９】
2008011945.tif 000011
【図１０】
2008011945.tif 000012
【図１１】
2008011945.tif 000013
【図１２】
2008011945.tif 000014
【図１３】
2008011945.tif 000015
【図１４】
2008011945.tif 000016